(57)【特許請求の範囲】
【請求項１】
ワイヤレス通信のための装置であって、
特定の拡張分散チャネルアクセス(EDCA)パラメータセットを使用すべきデバイスのタイプを示すデバイスタイプサブフィールドを含む更新EDCA情報フィールドを含むEDCAパラメータセット要素を有するフレームを生成するように構成された処理システムであって、前記デバイスタイプサブフィールドは、少なくともセンサタイプデバイスおよび非センサタイプデバイスを含むEDCAをサポートする様々なデバイスタイプのグループからデバイスの前記タイプを特定する値を含む、処理システムと、
送信するための前記フレームを出力するように構成されたインターフェースと
を含む、装置。
【請求項２】
前記デバイスタイプサブフィールドは、前記EDCAパラメータセット要素によって与えられる情報がセンサタイプデバイスに有効であることを示すように第1の値に設定され、
前記デバイスタイプサブフィールドは、前記EDCAパラメータセット要素によって与えられる情報が非センサタイプデバイスに有効であることを示すように前記第1の値と異なる第2の値に設定される、
請求項1に記載の装置。
【請求項３】
前記デバイスタイプサブフィールドは、前記EDCAパラメータセット要素によって与えられる情報がセンサタイプのデバイスと非センサタイプのデバイスの両方に有効であることを示す値に設定される、
請求項1に記載の装置。
【請求項４】
前記デバイスタイプサブフィールドは、前記EDCAパラメータセット要素によって与えられる情報が2つ以上のデバイスのタイプに有効であることを示す値に設定される、
請求項1に記載の装置。
【請求項５】
デバイスの第1のタイプおよびデバイスの第2のタイプのうちの少なくとも1つまたは複数をサポートする基本サービスセット(BSS)に属し、
前記処理システムが、
デバイスの前記第1のタイプを示すデバイスタイプサブフィールドを含む更新EDCA情報フィールドを含む第1のEDCAパラメータセット要素を有するフレームを生成し、
デバイスの前記第2のタイプを示すデバイスタイプサブフィールドを含む更新EDCA情報フィールドを含む第2のEDCAパラメータセット要素を有する追加のフレームを生成するように構成され、
前記インターフェースがまた、送信するための前記追加のフレームを出力するためのものである、
請求項1に記載の装置。
【請求項６】
前記処理システムは、ワイヤレス媒体にアクセスするために競合のためのデフォルトEDCAパラメータセットを使用するように構成される、
請求項1に記載の装置。
【請求項７】
ワイヤレス通信のための装置であって、
特定の拡張分散チャネルアクセス(EDCA)パラメータセットを使用すべきデバイスのタイプを示すデバイスタイプサブフィールドを含む更新EDCA情報フィールドを含むEDCAパラメータセット要素を有するフレームを受信するためのインターフェースであって、前記デバイスタイプサブフィールドは、少なくともセンサタイプデバイスおよび非センサタイプデバイスを含むEDCAをサポートする様々なデバイスタイプのグループからデバイスの前記タイプを特定する値を含む、インターフェースと、
前記装置が前記デバイスタイプサブフィールドによって示されるデバイスの前記タイプである場合、前記特定のEDCAパラメータセットを使用して、前記装置のために、EDCA情報を更新するように構成された処理システムと
を含む、装置。
【請求項８】
前記装置は、センサタイプデバイスであり、前記処理システムは、前記デバイスタイプサブフィールドが、前記EDCAパラメータセット要素によって与えられる情報がセンサタイプデバイスに有効であることを示す第1の値に設定される場合、前記特定のEDCAパラメータセットを使用して前記装置のための前記EDCA情報を更新するように構成される、または、
前記装置は、非センサタイプデバイスであり、前記処理システムは、前記デバイスタイプサブフィールドが、前記EDCAパラメータセット要素によって与えられる情報が非センサタイプデバイスに有効であることを示す前記第1の値と異なる第2の値に設定される場合、前記特定のEDCAパラメータセットを使用して前記装置のための前記EDCA情報を更新するように構成される、
請求項7に記載の装置。
【請求項９】
前記処理システムは、前記デバイスタイプサブフィールドが、前記EDCAパラメータセット要素によって与えられる情報が、センサタイプのデバイスと非センサタイプのデバイスの両方に有効であることを示す値に設定される場合、前記特定のEDCAパラメータセットを使用して前記装置のための前記EDCA情報を更新するように構成される、請求項7に記載の装置。
【請求項１０】
前記処理システムは、前記デバイスタイプサブフィールドが、前記EDCAパラメータセット要素によって与えられる情報が、2つ以上のデバイスのタイプに有効であることを示す値に設定される場合、前記特定のEDCAパラメータセットを使用して前記装置のための前記EDCA情報を更新するように構成される、請求項7に記載の装置。
【請求項１１】
前記処理システムは、前記装置に対応するデバイスタイプの指示を有するフレームが受信されない場合、前記特定のEDCAパラメータセットと異なるデフォルトEDCAパラメータセットを使用するようにさらに構成される、請求項7に記載の装置。
【請求項１２】
装置によるワイヤレス通信のための方法であって、
前記装置において、特定の拡張分散チャネルアクセス(EDCA)パラメータセットを使用すべきデバイスのタイプを示すデバイスタイプサブフィールドを含む更新EDCA情報フィールドを含むEDCAパラメータセット要素を有するフレームを生成するステップであって、前記デバイスタイプサブフィールドは、少なくともセンサタイプデバイスおよび非センサタイプデバイスを含むEDCAをサポートする様々なデバイスタイプのグループからデバイスの前記タイプを特定する値を含む、ステップと、
送信のために前記フレームを出力するステップと
を含む、方法。
【請求項１３】
前記デバイスタイプサブフィールドは、前記EDCAパラメータセット要素によって与えられる情報がセンサタイプデバイスに有効であることを示すように第1の値に設定され、
前記デバイスタイプサブフィールドは、前記EDCAパラメータセット要素によって与えられる情報が非センサタイプデバイスに有効であることを示すように前記第1の値と異なる第2の値に設定される、
請求項12に記載の方法。
【請求項１４】
前記デバイスタイプサブフィールドは、前記EDCAパラメータセット要素によって与えられる情報がセンサタイプのデバイスと非センサタイプのデバイスの両方に有効であることを示す値に設定される、
請求項12に記載の方法。
【請求項１５】
前記デバイスタイプサブフィールドは、前記EDCAパラメータセット要素によって与えられる情報が2つ以上のデバイスのタイプに有効であることを示す値に設定される、
請求項12に記載の方法。
【請求項１６】
前記装置は、デバイスの第1のタイプおよびデバイスの第2のタイプのうちの少なくとも1つまたは複数をサポートする基本サービスセット(BSS)に属し、前記方法は、
デバイスの前記第1のタイプを示すデバイスタイプサブフィールドを含む更新EDCA情報フィールドを含む第1のEDCAパラメータセット要素を有するフレームと、デバイスの前記第2のタイプを示すデバイスタイプサブフィールドを含む更新EDCA情報フィールドを含む第2のEDCAパラメータセット要素を有する追加のフレームとを生成するステップと、
送信のために前記追加のフレームを出力するステップと
をさらに含む、請求項12に記載の方法。
【請求項１７】
ワイヤレス媒体にアクセスするために競合のためのデフォルトEDCAパラメータセットを使用するステップ
をさらに含む、請求項12に記載の方法。
【請求項１８】
装置によるワイヤレス通信のための方法であって、
前記装置において、特定の拡張分散チャネルアクセス(EDCA)パラメータセットを使用すべきデバイスのタイプを示すデバイスタイプサブフィールドを含む更新EDCA情報フィールドを含むEDCAパラメータセット要素を有するフレームを受信するステップであって、前記デバイスタイプサブフィールドは、少なくともセンサタイプデバイスおよび非センサタイプデバイスを含むEDCAをサポートする様々なデバイスタイプのグループからデバイスの前記タイプを特定する値を含む、ステップと、
前記装置が前記デバイスタイプサブフィールドによって示されるデバイスの前記タイプである場合、前記特定のEDCAパラメータセットを使用して、前記装置のために、EDCA情報を更新するステップと
を含む、方法。
【請求項１９】
前記更新するステップは、
前記デバイスタイプサブフィールドが、前記EDCAパラメータセット要素によって与えられる情報が、センサタイプデバイスに有効であることを示す第1の値に設定され、かつ前記装置がセンサタイプデバイスである場合、前記特定のEDCAパラメータセットを使用して前記装置のための前記EDCA情報を更新するステップ、または、
前記デバイスタイプサブフィールドが、前記EDCAパラメータセット要素によって与えられる情報が、非センサタイプデバイスに有効であることを示す、前記第1の値と異なる第2の値に設定され、かつ前記装置が非センサタイプデバイスである場合、前記特定のEDCAパラメータセットを使用して前記装置のための前記EDCA情報を更新するステップ
を含む、請求項18に記載の方法。
【請求項２０】
前記更新するステップは、
前記デバイスタイプサブフィールドが、前記EDCAパラメータセット要素によって与えられる情報が、センサタイプのデバイスと非センサタイプのデバイスの両方に有効であることを示す値に設定される場合、前記特定のEDCAパラメータセットを使用して前記装置のための前記EDCA情報を更新するステップ
を含む、請求項18に記載の方法。
【請求項２１】
前記更新するステップは、
前記デバイスタイプサブフィールドが、前記EDCAパラメータセット要素によって与えられる情報が、2つ以上のデバイスのタイプに有効であることを示す値に設定される場合、前記特定のEDCAパラメータセットを使用して前記装置のための前記EDCA情報を更新するステップ
を含む、請求項18に記載の方法。
【請求項２２】
前記装置に対応するデバイスタイプの指示を有するフレームが受信されない場合、前記特定のEDCAパラメータセットと異なるデフォルトEDCAパラメータセットを使用するステップ
をさらに含む、請求項18に記載の方法。
【請求項２３】
前記フレームを送信するように構成された送信機をさらに備え、前記装置はワイヤレスノードとして構成される、請求項1に記載の装置。
【請求項２４】
前記フレームを受信するように構成された受信機をさらに備え、前記装置は局として構成される、請求項7に記載の装置。
【発明の詳細な説明】
【技術分野】
【０００１】
米国特許法第119条に基づく優先権の主張
本出願は、本出願の譲受人に譲渡され、参照により明白に本明細書に組み込まれる、2014年5月1日に出願された米国仮特許出願第61/987,460号および2014年5月8日に出願された米国仮特許出願第61/990,565号の利益を主張する、2015年4月30日に出願された米国特許出願第14/701,503号の優先権を主張する。
【０００２】
本開示のいくつかの態様は、概して、ワイヤレス通信に関し、より詳細には、デバイスタイプに合わせたサポートを有する拡張分散チャネルアクセス(EDCA)に関する。
【背景技術】
【０００３】
ワイヤレス通信ネットワークは、音声、ビデオ、パケットデータ、メッセージング、ブロードキャストなどの種々の通信サービスを提供するために広く展開されている。これらのワイヤレスネットワークは、利用可能なネットワークリソースを共有することによって複数のユーザをサポートすることができる多元接続ネットワークとすることができる。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
より大きいカバー範囲および通信範囲の増大を求める要望に対処するために、様々な方式が開発されている。そのような1つの方式は、米国電気電子技術者協会(IEEE)802.11ahタスクフォースによって開発されているsub-1-GHz(S1G)周波数範囲(たとえば、米国において902〜928MHzの範囲で運用されている)である。この開発は、他のIEEE802.11グループよりも大きいワイヤレス範囲を有し、より低い障害物損失を有する周波数範囲を利用することを望むことによって推進される。
【発明の概要】
【課題を解決するための手段】
【０００５】
本開示のいくつかの態様は、ワイヤレス通信のための装置を提供する。本装置は、典型的には、特定の拡張分散チャネルアクセス(EDCA)パラメータセットを使用すべきデバイスのタイプの指示を有するフレームを生成するように構成された処理システムと、送信のためにTIM IEを含むフレームを出力するためのインターフェースとを含む。
【０００６】
本開示のいくつかの態様は、ワイヤレス通信のための装置を提供する。本装置は、典型的には、特定の拡張分散チャネルアクセス(EDCA)パラメータセットを使用すべきデバイスのタイプの指示を有するフレームを受信するためのインターフェースと、その指示に基づいて装置が特定のEDCAパラメータセットを使用すべきかどうかを決定するように構成された処理システムとを含む。
【０００７】
本開示のいくつかの態様は、ワイヤレス通信のための方法を提供する。本方法は、典型的には、装置において、特定の拡張分散チャネルアクセス(EDCA)パラメータセットを使用すべきデバイスのタイプの指示を有するフレームを生成するステップと、送信のためにフレームを出力するステップとを含む。
【０００８】
本開示のいくつかの態様は、ワイヤレス通信のための方法を提供する。本方法は、典型的には、装置において、特定の拡張分散チャネルアクセス(EDCA)パラメータセットを使用すべきデバイスのタイプの指示を有するフレームを受信するステップと、その指示に基づいて特定のEDCAパラメータセットを使用すべきかどうかを決定するステップとを含む。
【０００９】
本開示のいくつかの態様は、ワイヤレス通信のための装置を提供する。本装置は、典型的には、特定の拡張分散チャネルアクセス(EDCA)パラメータセットを使用すべきデバイスのタイプの指示を有するフレームを生成するための手段と、送信のためにフレームを出力するための手段とを含む。
【００１０】
本開示のいくつかの態様は、ワイヤレス通信のための装置を提供する。本装置は、典型的には、特定の拡張分散チャネルアクセス(EDCA)パラメータセットを使用すべきデバイスのタイプの指示を有するフレームを受信するための手段と、その指示に基づいて装置が特定のEDCAパラメータセットを使用すべきかどうかを決定するための手段とを含む。
【００１１】
本開示のいくつかの態様は、ワイヤレス通信のためのコンピュータプログラム製品を提供する。本コンピュータプログラム製品は、典型的には、装置において、特定の拡張分散チャネルアクセス(EDCA)パラメータセットを使用すべきデバイスのタイプの指示を有するフレームを生成し、送信のためにフレームを出力するための命令を有するコンピュータ可読媒体を含む。
【００１２】
本開示のいくつかの態様は、ワイヤレス通信のためのコンピュータプログラム製品を提供する。本コンピュータプログラム製品は、典型的には、装置において、特定の拡張分散チャネルアクセス(EDCA)パラメータセットを使用すべきデバイスのタイプの指示を有するフレームを受信し、その指示に基づいて特定のEDCAパラメータセットを使用すべきかどうかを決定するための命令を有するコンピュータ可読媒体を含む。
【００１３】
本開示のいくつかの態様は、アクセスポイントを提供する。本アクセスポイントは、典型的には、少なくとも1つのアンテナと、特定の拡張分散チャネルアクセス(EDCA)パラメータセットを使用すべきデバイスのタイプの指示を有するフレームを生成するように構成された処理システムと、前記少なくとも1つのアンテナを介してTIM IEを含むフレームを送信するための送信機とを含む。
【００１４】
本開示のいくつかの態様は、ワイヤレス局を提供する。本ワイヤレス局は、典型的には、少なくとも1つのアンテナと、前記少なくとも1つのアンテナを介して、特定の拡張分散チャネルアクセス(EDCA)パラメータセットを使用すべきデバイスのタイプの指示を有するフレームを受信するための受信機と、その指示に基づいて装置が特定のEDCAパラメータセットを使用すべきかどうかを決定するように構成された処理システムとを含む。
【００１５】
いくつかの態様は、上記で説明した動作に対応する動作を実行することが可能な様々な方法、装置、およびコンピュータプログラム製品も提供する。
【００１６】
本開示の上述の特徴が詳細に理解され得るように、添付の図面にその一部が示される態様を参照することによって、上記で簡単に要約された内容のより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１７】
【図１】本開示のいくつかの態様による、例示的なワイヤレス通信ネットワークの図である。
【図２】本開示のいくつかの態様による、例示的なアクセスポイントおよびユーザ端末のブロック図である。
【図３】本開示のいくつかの態様による、例示的なワイヤレスデバイスのブロック図である。
【図４】本開示のいくつかの態様による、リレーシステムの例示的なツリー構造を示す図である。
【図５Ａ】本開示のいくつかの態様による、拡張分散チャネルアクセス(EDCA)コンテンションウィンドウの例を示す図である。
【図５Ｂ】本開示のいくつかの態様による、拡張分散チャネルアクセス(EDCA)コンテンションウィンドウの例を示す図である。
【図６】本開示のいくつかの態様による、EDCAパラメータセット要素の例示的な構造を示す図である。
【図７】本開示のいくつかの態様による、EDCA情報フィールドの例示的な構造を示す図である。
【図８】本開示のいくつかの態様による、ワイヤレス通信のための例示的な動作のブロック図である。
【図８Ａ】図8に示す動作を実行することが可能な例示的な手段を示す図である。
【図９】本開示のいくつかの態様による、ワイヤレス通信のための例示的な動作のブロック図である。
【図９Ａ】図9に示す動作を実行することが可能な例示的な手段を示す図である。
【図１０Ａ】本開示のいくつかの態様による、例示的なデフォルトEDCAパラメータセットの値を示す図である。
【図１０Ｂ】本開示のいくつかの態様による、例示的なデフォルトEDCAパラメータセットの値を示す図である。
【発明を実施するための形態】
【００１８】
本開示の態様は、拡張分散チャネルアクセス(EDCA)などのいくつかの選択的な送信機構を含む機構に対する拡張を提供し、デバイス(たとえば、局)タイプに合わせてサポートする。特定のEDCAパラメータセットを使用すべき局のタイプの表示を提供することにより、様々なデバイスタイプは、様々なEDCAパラメータセットを使用することができ、様々なアクセス優先度を事実上可能にし得る。
【００１９】
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えられる。本明細書の教示に基づいて、本開示の範囲は、本開示の任意の他の態様とは独立に実装されるにせよ、本開示の任意の他の態様と組み合わせて実装されるにせよ、本明細書で開示される本開示のいかなる態様をも包含するものであることを、当業者は諒解されたい。たとえば、本明細書で述べられる任意の数の態様を使用して装置が実装されてよく、または方法が実施されてもよい。さらに、本開示の範囲は、本明細書に記載の本開示の様々な態様に加えてまたはそれらの態様以外に、他の構造、機能、または構造および機能を使用して実施されるそのような装置またはそのような方法を包含するものとする。本明細書で開示する本開示のいずれの態様も請求項の1つまたは複数の要素によって具体化され得ることを理解されたい。
【００２０】
特定の態様について本明細書において説明するが、これらの態様の数多くの変形実施形態および置換実施形態が、本開示の範囲内に入る。好ましい態様のいくつかの利益および利点が述べられるが、本開示の範囲は、特定の利益、用途、または目的に限定されることは意図していない。むしろ、本開示の態様は、異なるワイヤレス技法、システム構成、ネットワーク、および送信プロトコルに広く適用可能であることを意図しており、それらのうちのいくつかが例として図および好ましい態様の以下の説明において示される。発明を実施するための形態および図面は、限定的なものではなく、本開示を説明するものにすぎず、本開示の範囲は、添付の特許請求の範囲およびその均等物によって規定される。
【００２１】
例示的なワイヤレス通信システム
本明細書で説明する技法は、直交多重化方式に基づく通信システムを含む様々なブロードバンドワイヤレス通信システムに使用され得る。そのような通信システムの例としては、空間分割多元接続(SDMA)、時分割多元接続(TDMA)、直交周波数分割多元接続(OFDMA)システム、シングルキャリア周波数分割多元接続(SC-FDMA)システムなどがある。SDMAシステムは、十分に異なる方向を利用して、複数のユーザ端末に属するデータを同時に送信し得る。TDMAシステムは、複数のユーザ端末が、送信信号を異なるタイムスロットに分割することによって、同じ周波数チャネルを共有することを可能にし、各タイムスロットは、異なるユーザ端末に割り当てられる。OFDMAシステムは、システム帯域幅全体を複数の直交するサブキャリアに分割する変調技法である、直交周波数分割多重化(OFDM)を利用する。これらのサブキャリアは、トーン、ビンなどと呼ばれることもある。OFDMでは、各サブキャリアは、データによって独立して変調され得る。SC-FDMAシステムは、システム帯域幅全体にわたって分散するサブキャリア上で送信するためのインターリーブされたFDMA(IFDMA)、隣接するサブキャリアのブロック上で送信するための局所化FDMA(LFDMA)、または隣接するサブキャリアの複数のブロック上で送信するための拡張FDMA(EFDMA)を利用し得る。一般に、変調シンボルは、OFDMでは周波数領域において、SC-FDMでは時間領域において送信される。
【００２２】
本明細書の教示は、様々な有線装置またはワイヤレス装置(たとえば、ノード)に組み込まれ得る(たとえば、その装置内に実装されるか、またはその装置によって実行され得る)。いくつかの態様では、本明細書の教示に従って実装されるワイヤレスノードは、アクセスポイントまたはアクセス端末を含み得る。
【００２３】
アクセスポイント(「AP」)は、ノードB、無線ネットワークコントローラ(「RNC」)、進化型ノードB(eNB)、基地局コントローラ(「BSC」)、送受信基地局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、もしくは何らかの他の用語を含むか、それらのいずれかとして実装されるか、またはそれらのいずれかとして知られていることがある。
【００２４】
アクセス端末(「AT」)は、加入者局、加入者ユニット、移動局(MS)、リモート局、リモート端末、ユーザ端末(UT)、ユーザエージェント、ユーザデバイス、ユーザ機器(UE)、ユーザ局、もしくは何らかの他の用語を含むか、それらのいずれかとして実装されるか、またはそれらのいずれかとして知られていることがある。いくつかの実装形態では、アクセス端末は、セルラー電話、コードレス電話、セッション開始プロトコル(「SIP」)電話、ワイヤレスローカルループ(「WLL」)局、携帯情報端末(「PDA」)、ワイヤレス接続機能を有するハンドヘルドデバイス、局(「STA」)、またはワイヤレスモデムに接続された何らかの他の適切な処理デバイスを含み得る。したがって、本明細書で教示される1つまたは複数の態様は、電話(たとえば、セルラー電話またはスマートフォン)、コンピュータ(たとえば、ラップトップ)、タブレット、ポータブル通信デバイス、ポータブルコンピューティングデバイス(たとえば、携帯情報端末)、エンターテインメントデバイス(たとえば、音楽またはビデオデバイス、あるいは衛星ラジオ)、全地球測位システム(GPS)デバイス、あるいはワイヤレスまたは有線媒体を介して通信するように構成された任意の他の適切なデバイスに組み込まれ得る。いくつかの態様では、ノードはワイヤレスノードである。たとえば、そのようなワイヤレスノードは、有線通信リンクまたはワイヤレス通信リンクを介して、ネットワーク(たとえば、インターネットもしくはセルラーネットワークなどのワイドエリアネットワーク)のための、またはネットワークへの接続を与え得る。
【００２５】
図1は、アクセスポイントおよびユーザ端末を有する多元接続多入力多出力(MIMO)システム100を示す。簡潔にするために、図1にはただ1つのアクセスポイント110が示される。アクセスポイントは、一般に、ユーザ端末と通信する固定局であり、基地局または何らかの他の用語で呼ばれることもある。ユーザ端末は、固定でも移動でもよく、移動局、ワイヤレスデバイス、または何らかの他の用語で呼ばれることもある。アクセスポイント110は、ダウンリンクおよびアップリンク上で所与の瞬間において1つまたは複数のユーザ端末120と通信し得る。ダウンリンク(すなわち、順方向リンク)はアクセスポイントからユーザ端末への通信リンクであり、アップリンク(すなわち、逆方向リンク)はユーザ端末からアクセスポイントへの通信リンクである。ユーザ端末は、別のユーザ端末とピアツーピアで通信することもある。システムコントローラ130は、アクセスポイントに結合し、アクセスポイントの調整および制御を行う。
【００２６】
以下の開示の部分は、空間分割多元接続(SDMA)によって通信することが可能なユーザ端末120について説明するが、いくつかの態様では、ユーザ端末120は、SDMAをサポートしないいくつかのユーザ端末を含むこともある。したがって、そのような態様では、AP110は、SDMAユーザ端末と非SDMAユーザ端末の両方と通信するように構成され得る。この手法は、より新しいSDMAユーザ端末が適宜導入されることを可能にしながら、より古いバージョンのユーザ端末(「レガシー」局)が企業に配置されたままであることを都合よく可能にして、それらの有効寿命を延長し得る。
【００２７】
システム100は、ダウンリンクおよびアップリンク上でのデータ送信のために複数の送信アンテナおよび複数の受信アンテナを使用する。アクセスポイント110は、Nap個のアンテナを備え、ダウンリンク送信では多入力(MI)を表し、アップリンク送信では多出力(MO)を表す。K個の選択されたユーザ端末120のセットは、ダウンリンク送信では多出力を集合的に表し、アップリンク送信では多入力を集合的に表す。純粋なSDMAの場合、K個のユーザ端末のためのデータシンボルストリームが、何らかの手段によって、コード、周波数、または時間で多重化されない場合、Nap≧K≧1であることが望まれる。TDMA技法、CDMAを用いた様々なコードチャネル、OFDMを用いたサブバンドの独立セットなどを使用してデータシンボルストリームを多重化することができる場合、KはNapよりも大きくすることができる。各々の選択されたユーザ端末は、ユーザ固有のデータをアクセスポイントに送信し、かつ/またはアクセスポイントからユーザ固有のデータを受信する。一般に、各々の選択されたユーザ端末は、1つまたは複数のアンテナ(すなわち、Nut≧1)を備えることができる。K個の選択されたユーザ端末は、同じまたは異なる数のアンテナを有することができる。
【００２８】
SDMAシステムは、時分割複信(TDD)システムまたは周波数分割複信(FDD)システムとすることができる。TDDシステムの場合、ダウンリンクとアップリンクは同じ周波数帯域を共有する。FDDシステムの場合、ダウンリンクとアップリンクは異なる周波数帯域を使用する。MIMOシステム100は、送信のために単一のキャリアまたは複数のキャリアを利用する場合もある。各ユーザ端末は、(たとえば、コストを抑えるために)単一のアンテナを備えるか、または(たとえば、追加コストをサポートすることができる場合)複数のアンテナを備える場合がある。ユーザ端末120が、送信/受信を異なるタイムスロットに分割することによって、同じ周波数チャネルを共有する場合、システム100は、TDMAシステムであってもよく、各タイムスロットは、異なるユーザ端末120に割り当てられる。
【００２９】
図2は、MIMOシステム100におけるアクセスポイント110ならびに2つのユーザ端末120mおよび120xのブロック図を示す。アクセスポイント110は、Nt個のアンテナ224a〜224tを備える。ユーザ端末120mは、N ut,mのアンテナ252ma〜252muを備え、ユーザ端末120xは、Nut,xのアンテナ252xa〜252xuを備える。アクセスポイント110は、ダウンリンクでは送信エンティティであり、アップリンクでは受信エンティティである。各ユーザ端末120は、アップリンクでは送信エンティティであり、ダウンリンクでは受信エンティティである。本明細書で使用する場合、「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「dn」は、ダウンリンクを表し、下付き文字「up」は、アップリンクを表し、Nupのユーザ端末は、アップリンク上の同時伝送のために選択され、Ndnのユーザ端末は、ダウンリンク上の同時伝送のために選択され、Nupは、Ndnと等しくてもよく、または等しくなくてもよく、NupおよびNdnは、静的な値であってもよく、または、スケジューリング間隔ごとに変化することができる。アクセスポイントおよびユーザ端末において、ビームステアリングまたは何らかの他の空間処理技法が使用され得る。
【００３０】
アップリンク上では、アップリンク送信のために選択された各ユーザ端末120において、送信(TX)データプロセッサ288は、データソース286からトラフィックデータを受信し、コントローラ280から制御データを受信する。TXデータプロセッサ288は、ユーザ端末のための選択されたレートに関連するコーディングおよび変調方式に基づいて、ユーザ端末のためのトラフィックデータを処理(たとえば、符号化、インターリーブ、および変調)し、データシンボルストリームを与える。TX空間プロセッサ290は、データシンボルストリームに対して空間処理を実行し、Nut,m個の送信シンボルストリームをNut,m個のアンテナに与える。各送信機ユニット(TMTR)254は、アップリンク信号を生成するために、それぞれの送信シンボルストリームを受信し、処理(たとえば、アナログ変換、増幅、フィルタリング、および周波数アップコンバート)する。Nut,m個の送信機ユニット254は、Nut,m個のアンテナ252からアクセスポイントへの送信のために、Nut,m個のアップリンク信号を与える。
【００３１】
アップリンク上での同時送信のために、Nup個のユーザ端末がスケジュールされ得る。これらのユーザ端末の各々は、そのデータシンボルストリームに対して空間処理を実行し、アップリンク上で送信シンボルストリームのそのセットをアクセスポイントに送信する。
【００３２】
アクセスポイント110において、Napのアンテナ224a〜224apは、アップリンク上で伝送するすべてのNupのユーザ端末からのアップリンク信号を受信する。各アンテナ224は、受信された信号をそれぞれの受信機ユニット(RCVR)222に与える。各受信機ユニット222は、送信機ユニット254によって実行された処理を補足する処理を実行し、受信シンボルストリームを与える。RX空間プロセッサ240は、Nap個の受信機ユニット222からのNap個の受信シンボルストリームに対して受信機空間処理を実行し、Nup個の復元されたアップリンクデータシンボルストリームを与える。受信機空間処理は、チャネル相関行列反転(CCMI)、最小平均2乗誤差(MMSE)、ソフト干渉消去(SIC)、または何らかの他の技法に従って実行される。復元された各アップリンクデータシンボルストリームは、それぞれのユーザ端末によって送信されたデータシンボルストリームの推定値である。RXデータプロセッサ242は、そのストリームのために使用されたレートに従って復元された各アップリンクデータシンボルストリームを処理(たとえば、復調、デインターリーブ、および復号)して、復号データを得る。各ユーザ端末の復号データは、記憶のためにデータシンク244に提供され、かつ/または、さらに処理するためにコントローラ230に提供され得る。
【００３３】
ダウンリンク上で、アクセスポイント110において、TXデータプロセッサ210は、ダウンリンク送信のためにスケジュールされたNdnのユーザ端末のためのデータ源208からのトラフィックデータと、コントローラ230からの制御データと、おそらくはスケジューラ234からの他のデータとを受信する。様々なタイプのデータは、異なるトランスポートチャネル上で送信され得る。TXデータプロセッサ210は、そのユーザ端末のために選択されたレートに基づいて、各ユーザ端末のトラフィックデータを処理(たとえば、符号化、インターリーブ、変調)する。TXデータプロセッサ210は、Ndn個のダウンリンクデータシンボルストリームをNdn個のユーザ端末に与える。TX空間プロセッサ220は、Ndn個のダウンリンクデータシンボルストリームに対して空間処理(本開示で説明するプリコーディングまたはビームフォーミングなど)を実行し、Nap個のアンテナにNap個の送信シンボルストリームを与える。各送信機ユニット222は、ダウンリンク信号を発生するために、それぞれの送信シンボルストリームを受信し、処理する。Nap個の送信機ユニット222は、Nap個のアンテナ224からユーザ端末への送信のためにNap個のダウンリンク信号を提供する。
【００３４】
各ユーザ端末120において、Nut,m個のアンテナ252は、アクセスポイント110からNap個のダウンリンク信号を受信する。各受信機ユニット254は、関連するアンテナ252からの受信信号を処理し、受信シンボルストリームを与える。RX空間プロセッサ260は、Nut,m個の受信機ユニット254からのNut,m個の受信シンボルストリームに対して受信機空間処理を実行し、復元されたダウンリンクデータシンボルストリームをユーザ端末に与える。受信機空間処理は、CCMI、MMSEまたは何らかの他の技法に従って実行される。RXデータプロセッサ270は、ユーザ端末のための復号データを得るために、復元されたダウンリンクデータシンボルストリームを処理(たとえば、復調、デインターリーブ、および復号)する。
【００３５】
各ユーザ端末120において、チャネル推定器278は、ダウンリンクチャネル応答を推定し、チャネル利得推定値、SNR推定値、ノイズ分散などを含み得るダウンリンクチャネル推定値を与える。同様に、チャネル推定器228は、アップリンクチャネル応答を推定し、アップリンクチャネル推定値を与える。各ユーザ端末用のコントローラ280は、典型的には、ユーザ端末についての空間フィルタ行列を、そのユーザ端末についてのダウンリンクチャネル応答行列Hdn,mに基づいて導出する。コントローラ230は、アクセスポイントについての空間フィルタ行列を、実効アップリンクチャネル応答行列Hup,effに基づいて導出する。各ユーザ端末用のコントローラ280は、フィードバック情報(たとえば、ダウンリンクおよび/またはアップリンク固有ベクトル、固有値、SNR推定値など)をアクセスポイントに送ることができる。コントローラ230および280は、それぞれ、アクセスポイント110およびユーザ端末120における様々な処理ユニットの動作も制御する。
【００３６】
図3は、MIMOシステム100内で使用され得るワイヤレスデバイス302において利用され得る様々な構成要素を示す。ワイヤレスデバイス302は、本明細書で説明する様々な方法を実施するように構成され得るデバイスの一例である。ワイヤレスデバイス302は、アクセスポイント110またはユーザ端末120であり得る。
【００３７】
ワイヤレスデバイス302は、ワイヤレスデバイス302の動作を制御するプロセッサ304を含み得る。プロセッサ304は、中央処理ユニット(CPU)とも呼ばれ得る。読取り専用メモリ(ROM)とランダムアクセスメモリ(RAM)の両方を含むことができるメモリ306は、命令およびデータをプロセッサ304に提供する。メモリ306の一部分は、不揮発性ランダムアクセスメモリ(NVRAM)を含む場合もある。プロセッサ304は、典型的には、メモリ306内に記憶されたプログラム命令に基づいて論理演算および算術演算を実行する。メモリ306中の命令は、本明細書で説明する方法を実施するように実行可能であり得る。
【００３８】
ワイヤレスデバイス302は、ワイヤレスデバイス302と遠隔地との間のデータの送信および受信を可能にするための送信機310および受信機312を含み得る、ハウジング308も含み得る。送信機310と受信機312とを組み合わせてトランシーバ314を形成し得る。単一または複数の送信アンテナ316は、ハウジング308に取り付けられ、トランシーバ314に電気的に結合され得る。ワイヤレスデバイス302は、複数の送信機、複数の受信機、および複数のトランシーバも含み得る(図示せず)。
【００３９】
ワイヤレスデバイス302は、トランシーバ314によって受信された信号のレベルを検出し定量化するために使用され得る信号検出器318を含む場合もある。信号検出器318は、総エネルギー、シンボルごとのサブキャリア当りのエネルギー、電力スペクトル密度、および他の信号などの信号を検出し得る。ワイヤレスデバイス302は、信号を処理する際に使用するためのデジタル信号プロセッサ(DSP)320を含む場合もある。
【００４０】
ワイヤレスデバイス302の様々な構成要素は、データバスに加えて、電力バス、制御信号バス、およびステータス信号バスを含み得るバスシステム322によって互いに結合され得る。
【００４１】
例示的なターゲット待ち時間フローIDシグナリング
低電力デバイスをリレーとして利用するリレーシステムでは、電力消費量を低減することが可能であるときはいつでも、リレーが低電力モードに入る(たとえば、1つまたは複数の構成要素がパワーを落とされた状態でスリープする)ことを可能にすることが望ましい場合がある。さらに、コストを抑えておくために、限られたメモリのみとともにリレーを使用するのが望ましい場合がある。したがって、リレーは、少量のデータのみをバッファリングすることができる場合があり、さらなるデータを受け取ることができないうちにデータを転送する必要がある場合がある。
【００４２】
図4に示すマルチホップリレーシステムなどのマルチホップリレーシステムでは、このことは、電力を節約するとともに、データのリレーのためにデバイスが適切な時間に目覚めることを依然として確実にする方法に関するいくつかの課題を提示する場合がある。一般に、AP410とリーフSTA420との間のすべてのリレー430(R1〜R5)は、小さいチャンクでデータを送信(リレー)するために低電力状態を迅速に脱する(目覚める)ことができる必要があり得る。
【００４３】
本明細書で提示する技法は、デバイスが電力を節約し限られた量のメモリとともに動作することを可能にする、上記の2つの目標を達成する電力節約プロトコルの一部と見なされ得る。いくつかの態様によれば、APと局との間の直接通信に使用するためにいくつかの標準(たとえば、802.11ah)ですでに定義された様々な機構は、リレーシステムにおいて使用するために修正および拡張され得る。
【００４４】
IEEE802.11ahなどの様々なシステムでは、アクセスポイント(AP)410と局420との間のリレーデバイス430を利用する動機が存在する場合がある。たとえば、900MHz(または他の「サブ1GHz」)キャリアを用いてダウンリンク(DL)範囲の増加の可能性がある場合でさえ、それだけでは、リモートセンサを有するアプリケーション、またはAPからSTAまでのパスに障害物を有するシナリオでは十分でない場合があるので、リレーの使用は望ましい場合がある。アップリンクでは、STAは、APよりも大幅に低い送信電力を有する場合があり、その結果、STAは、APに到達することができない場合がある。
【００４５】
そのようなシステムのキー特性は、図4に示すように、ツリー構造を使用したマルチホップリレーの使用を含む場合がある。リレーノードは、子ノードによる関係を可能にする親ノードまたはAP-STAに接続する非AP-STA(たとえば、or動作する能力を欠く任意の局は、現在APとして動作していない)などの任意の適切なエンティティによって形成され得る。ノード間のセキュリティは、たとえば、ノードの各対の間の事前共通鍵モード(PSK)の構成によって確実になり得る。リレーノードは、バックワードラーニングブリッジを用いて4アドレスフォーマットをサポートし得る。いくつかの場合には、たとえば、「親ノード」により十分に接続することが可能なリレーノードを用いて、自動構成および再構成を達成し得る。したがって、リレーノードは、親ノードへのリンクの健全性を監視し得る。
【００４６】
以下でより詳細に説明するように、リレーノードは、バッテリ電力を節約するために低電力状態(たとえば、無線構成要素がパワーを落とされた状態のスリープモード)に入るように構成される場合もある。いくつかの場合には、リレーノードは、リレーノードがデータを送受信し得る、スケジュールされた起動期間とともに構成され得る。しかしながら、電力を節約するために、各起動期間に低電力状態を脱するのではなく、リレーは、1つまたは複数の条件を満足したとき(たとえば、リレーノードが送信または受信すべきデータがあるという指示が存在したとき)にのみ、低電力状態を脱することを決定し得る。
【００４７】
以下でより詳細に説明するように、いくつかの局は、センサデバイスであり得る。センサ局および非センサ局は、様々な要件を有する場合があり、(様々なEDCAパラメータセットを介して)様々なアクセスパラメータを提供する利益が存在する場合がある。そのようなセンサデバイスは、バッテリ式または給電式のワイヤレス検知デバイスであり得る。センサデバイスが電力消費量に反応し得るとき、センサデバイスは、バッテリ電力を節約するために低電力状態に入るように構成される場合もあり、したがって、他のタイプのデバイス(たとえば、電力消費量に反応しないデバイス)を超える優先度をそのようなデバイスに与えるEDCAパラメータセットとともにそのようなデバイスを構成することが好ましい場合がある。本明細書で提示する技法によれば、APは、センサのみの局、非センサ局、およびその両方をサポートするように構成され得る。
【００４８】
一般に、APおよびSTAは、同様の(たとえば、対称的な、または補足的な)動作を実行し得る。したがって、本明細書で説明する技法の多くでは、APまたはSTAは、同様の動作を実行し得る。その目的で、以下の説明では、動作がAPまたはSTAのいずれかによって実行され得ることを反映するために「AP/STA」と呼ぶことがある。しかし、「AP」または「STA」のみが使用される場合でも、対応する動作または機構が、そのデバイスのタイプに限定されないことを意味することを理解されたい。
【００４９】
様々なデバイスタイプに合わせた例示的なEDCAパラメータセット差別化
多くの様々なアプリケーションおよびトラフィックを有するシステムでは、より高いか、またはより低い優先度でどのトラフィックが操作されるべきかを示すために拡張分散チャネルアクセス(EDCA)が利用され得る。
【００５０】
図5Aは、本開示のいくつかの態様による、拡張分散チャネルアクセス(EDCA)コンテンションウィンドウの例500Aを示す。図5Bは、本開示のいくつかの態様による、例示的なEDCAパラメータセットの値を示す。
【００５１】
図示の例では、EDCAは、Background(AC_BK)、Best Effort(AC_BE)、Video(AC_VI)、およびVoice(AC_VO)を含む、4つのアクセスカテゴリ(AC)を含む。各ACは、EDCAパラメータのセットに関連付けられる。EDCAパラメータセットは、EDCA機構の下で媒体にアクセスするために使用される必要がある、CWmin、CWmax、およびAIFSNのパラメータの観点での優先度のレベルと、これらのパラメータを使用しながら媒体へのアクセスを得た後に開始した送信機会の間、フレーム交換が続くことができる時間量とを定義する。優先度のレベル(AIFSN、CWmin、CWmax、およびTXOPlimitのパラメータによって指定される)は、様々なACにおいて予想されるトラフィックに応じて設定することができる。
【００５２】
EDCAを使用すれば、デバイスは、特定の時間期間の間、媒体へのアクセスにおいて競合する場合がある。ショートフレーム間スペース(SIFS)の後、デバイスは、調停フレーム間スペース時間(AIFSN)によって定義された時間期間の間、待ち、次いで、バックオフタイマの値として最小コンテンションウィンドウ(CWmin)と最大コンテンションウィンドウ(CWmax)との間の値をランダムに選択する場合があり、待つ。CWminおよびCWmaxは、それぞれ、サポートされた各物理レイヤのために定義された、aCWminおよびaCWmaxに基づいて計算され得る。
【００５３】
たとえば、802.11gによって定義された1などの物理レイヤがaCWminを15と定義し、aCWmaxを1023と定義し、AC_BKなどのACがCWminをaCWminと定義した場合、CWminは15に設定される。CWmaxは同様に定義される。AC_VIなどのACが、CWminを(aCWmin+1)/2-1などのaCWminの関数と定義した場合、CWminは、この関数に基づいて、ここでは7に設定される。バックオフタイマは、0に達するまで経過する各未使用のタイムスロットの間、減少し、デバイスは、媒体にアクセスするのが可能になる。
【００５４】
複数のデバイスが、同じスロット内に媒体にアクセスしようと試みる場合、送信されたフレームの確認応答は受信されず、デバイスは、バックオフし、再び試みる場合がある。したがって、各ACは、媒体にアクセスしようと試みる前に異なる時間量の間、待つが、より短い待ち時間は、より優先度の高いトラフィックと相関する。
【００５５】
デバイスが媒体にアクセスするのが可能になるとき、デバイスは、セット制限時間の間、媒体を使用し得る。EDCAは、デバイスが媒体へのコンテンションフリーアクセスのために有する時間フレームを定義する送信機会(TXOP)を含む。TXOPは、デバイスによる送信のために総時間間隔を表す、TXOP制限パラメータによって境界をつけられる。TXOP制限0は、単一のMACサービスデータユニット(MSDU)またはMAC管理プロトコルデータユニット(MMPDU)送信だけを可能にする場合がある。より優先度の高いトラフィックは、より長いTXOP制限を含み得る。
【００５６】
図6は、本開示のいくつかの態様による、拡張分散チャネルアクセス(EDCA)パラメータセットの例示的な構造600を示す。図示のように、構造600は、要素ID、長さ、QoS情報、更新EDCA情報、ベストエフォートパラメータレコード(AC_BE)、バックグラウンドパラメータレコード(AC_BK)、ビデオパラメータレコード(AC_VI)、および音声パラメータレコード(AC_VO)を含み得る。本開示の態様による、センサタイプ差別化を可能にする更新EDCA情報要素サブフィールドのための例示的な構造700を図7に示す。
【００５７】
上述のように、EDCAパラメータセットは、シグナリングが様々なタイプのトラフィックの優先順位付けができることを可能にする。しかしながら、いくつかの設計のEDCAパラメータセットシグナリングは、シグナリングが異なるタイプのデバイス間(たとえば、非センサ局とセンサ局との間)で明示的に差別化することを可能にしない。上記で説明したように、APは、センサのみの局、非センサ局、およびその両方のサポートを宣言し得る。より高い優先度が所与のタイプの局に必要とされる場合、EDCAパラメータセットのグループフィルタリングが使用される場合があり、このグループフィルタリングは、追加のシグナリングを必要とし、したがって追加の電力を必要とする場合がある。
【００５８】
しかしながら、本開示の態様は、EDCAパラメータ内の値がどのデバイスタイプ(たとえば、センサ局または非センサ局)に当てはまるかの指示を与えることによって局タイプ間で差別化するようにEDCAパラメータセットを割り当てるとき、APが異なるデバイスタイプ間で差別化するのを可能にするためにシグナリング機構を与え得る。
【００５９】
図8は、本開示の態様による、装置によるワイヤレス通信のための例示的な動作800を示す。動作800は、アクセスポイントとして動作する局などの装置によって実行される場合がある。
【００６０】
動作800は、802において、特定の拡張分散チャネルアクセス(EDCA)パラメータセットを使用すべきデバイスのタイプの指示を有するフレームを生成することによって開始し得る。804では、装置は、送信のためにフレームを出力する。
【００６１】
図9は、本開示の態様による、装置によるワイヤレス通信の動作900のブロック図である。動作900は、センサタイプ局または非センサタイプ局などの装置によって実行される場合がある。
【００６２】
動作900は、902において、特定の拡張分散チャネルアクセス(EDCA)パラメータセットを使用すべきデバイスのタイプの指示を有するフレームを受信することによって開始し得る。904では、装置は、前記指示に基づいて装置が特定のEDCAパラメータセットを使用すべきかどうかを決定する。
【００６３】
いくつかの態様によれば、前記指示は、少なくとも1つのセンサタイプおよび少なくとも1つの非センサタイプを含む、様々なデバイスタイプのグループから、デバイスのタイプを特定する値を含み得る。いくつかの場合には、前記指示は、たとえば、EDCAパラメータセット要素内の更新EDCA情報フィールド内のデバイスタイプサブフィールドとしてEDCAパラメータセット要素内に与えられ得る。そのようなデバイスタイプサブフィールドは、EDCAパラメータセット要素によって与えられる情報がセンサタイプデバイスに有効であることを示すために第1の値に設定される場合があるか、またはデバイスタイプサブフィールドは、EDCAパラメータセット要素によって与えられる情報が非センサタイプデバイスに有効であることを示すために第2の値に設定される場合がある。
【００６４】
たとえば、図7を参照すると、更新EDCA情報サブフィールドに含まれる1ビット局(STA)タイプサブフィールドが、前記指示を与えるために使用され得る。STAタイプフィールドは、この要素によって与えられる情報がセンサタイプSTAに有効であることを示すように0に設定される場合がある。他の場合、STAタイプフィールドは、この情報が非センサタイプSTAに有効であることを示すように1に設定される場合がある。
【００６５】
いくつかの場合には、このタイプサブフィールドは、たった2つの値には制限されない場合がある。たとえば、このタイプサブフィールドは、EDCAパラメータセットによって与えられる情報が両方(たとえば、センサおよび非センサ)のタイプのデバイスに有効であることを示すように第3の値に設定され得る。一般に、このタイプサブフィールドは、EDCAパラメータセットによって与えられる情報が2つ以上のデバイスのタイプに有効であることを示すように、ある値に設定され得る。
【００６６】
いくつかの態様によれば、APは、少なくとも第1および第2のデバイスのタイプをサポートする基本サービスセット(BBS)に属する場合がある。APは、第1のデバイスのタイプの指示を有する第1のEDCAパラメータセット要素を含む第1のフレームと、第2のデバイスのタイプの指示を有する第2のEDCAパラメータセット要素を含む第2のフレームとを生成し得る。いくつかの場合には、APは、デバイスのタイプが特定のEDCAパラメータセットを使用すべきであるという指示を含むフレームを受信しないデバイスのタイプによって使用するためのデフォルトEDCAパラメータセットを含む追加のフレームを生成し得る。したがって、局は、その対応するセンサタイプが特定のパラメータセットを使用すべきであるという明示的な指示を受信しない場合、デフォルトEDCAパラメータセットを使用し得る。図10Aは、たとえば、1つのタイプの局に使用され得る、例示的なデフォルトEDCAパラメータセットの値(たとえば、STAタイプの場合=1)を示す。図10Bは、たとえば、別のタイプの局に使用され得る、別の例示的なデフォルトEDCAパラメータセットの値(たとえば、STAタイプの場合=0)を示す。一般に、ほとんどのシステムでは、TXOP制限値は、0から28msの間の任意の値を有し得る。STAは、更新EDCA情報フィールドを受信し、STAタイプサブフィールドをチェックし、STAタイプに基づいて、EDCAパラメータの特定のセットがSTAに当てはまるかどうかを決定し得る。
【００６７】
本明細書で提示する技法を使用すれば、局(たとえば、S1G局)は、EDCAパラメータセット要素内の受信されたEDCAパラメータセットがそのSTAタイプ(たとえば、センサ局または非センサ局)に対応する場合にのみ、そのマスタ情報ブロック(MIB)値を更新し得る。
【００６８】
APが、あるタイプのSTAのサポートを示す場合、たとえば、センサタイプSTAは、それが送信するEDCAパラメータセット要素内のSTAタイプサブフィールドを0に設定する場合があるが、APが非センサタイプSTAのサポートを示す場合、非センサタイプSTAは、それが送信するEDCAパラメータセット要素内のSTAタイプサブフィールドを1に設定する場合がある。APが、両方のタイプのSTA、すなわちセンサタイプSTAと非センサタイプSTAの両方のサポートを示す場合、APは、各タイプに関して上記で説明したEDCAパラメータを告知し、そうするために、EDCAパラメータセットは、2つのEDCAパラメータセット要素、すなわち、0に等しい(たとえば、センサSTAのための)STAタイプサブフィールドを有するものと、1に等しい(たとえば、非センサSTAのための)STAタイプサブフィールドを有するものとを含み得る。
【００６９】
上記で説明した方法の様々な動作は、対応する機能を実行することができる任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含んでもよい。一般に、図に示す動作がある場合、それらの動作は、同様の番号をもつ対応するカウンターパートのミーンズプラスファンクション構成要素を有し得る。たとえば、図7および図8に示す動作700および800は、図7Aおよび図8Aに示す手段700Aおよび800Aにそれぞれ対応する。
【００７０】
たとえば、送信するための手段は、図2に示すアクセスポイント110の送信機(たとえば、送信機ユニット222)および/もしくはアンテナ224、または図3に示す送信機310および/もしくはアンテナ316を含み得る。受信するための手段は、図2に示すアクセスポイント110の受信機(たとえば、受信機ユニット222)および/もしくはアンテナ224、または図3に示す受信機312および/もしくはアンテナ316を含み得る。処理するための手段、判定するための手段、検出するための手段、走査するための手段、選択するための手段、生成するための手段、出力するための手段、または動作を終了させるための手段は、図2に示すアクセスポイント110のRXデータプロセッサ242、TXデータプロセッサ210、および/もしくはコントローラ230、または図3に描かれたプロセッサ304および/もしくはDSP320などの、1つまたは複数のプロセッサを含み得る処理システムを含み得る。
【００７１】
いくつかの態様によれば、そのような手段は、迅速な関連付けを実行するために上記で説明した様々なアルゴリズムを(たとえば、ハードウェア内で、または実行中のソフトウェア命令によって)実施することによって、対応する機能を実行するように構成された処理システムによって実施され得る。たとえば、フレームを生成するための手段は、特定の拡張分散チャネルアクセス(EDCA)パラメータセットを使用すべきデバイスのタイプの指示を有するフレームを生成するアルゴリズムを実行する処理システムによって実施される場合があり、送信のためにフレームを出力するための手段は、入力として生成されたフレームを取り込み、無線機能を有効/無効にするために信号を生成するアルゴリズムを実行する(同じまたは異なる)処理システムによって実施される場合がある。
【００７２】
本明細書で使用する「決定する」という用語は、多種多様なアクションを包含する。たとえば、「決定する」ことは、計算すること(calculating、computing)、処理すること、導出すること、調査すること、ルックアップすること(たとえば、テーブル、データベース、または別のデータ構造をルックアップすること)、確認することなどを含み得る。さらに、「決定する」ことは、受信すること(たとえば、情報を受信すること)、アクセスすること(たとえば、メモリ内のデータにアクセスすること)などを含み得る。さらに、「決定する」ことは、解決すること、選択すること、選ぶこと、確立することなど含み得る。
【００７３】
本明細書で使用する受信機という用語は、(たとえば、RFフロントエンドの)RF受信機、または(たとえば、バスを介して)RFフロントエンドによって処理される構造を受信するための(たとえば、プロセッサの)インターフェースを指す場合がある。同様に、送信機という用語は、RFフロントエンドのRF送信機、または(たとえば、バスを介して)送信のためにRFフロントエンドに構造を出力するための(たとえば、プロセッサの)インターフェースを指す場合がある。
【００７４】
本明細書で使用されるとき、項目のリストのうちの「少なくとも1つ」を指す語句は、単一の部材を含む、それらの項目の任意の組合せを指す。一例として、「a、b、またはcのうちの少なくとも1つ」は、a、b、c、a-b、a-c、b-c、およびa-b-c、ならびに同じ要素の重複の任意の組合せ(たとえば、a-a、a-a-a、a-a-b、a-a-c、a-b-b、a-c-c、b-b、b-b-b、b-b-c、c-c、およびc-c-cまたはa、b、およびcの任意の他の順序)を包含するものとする。
【００７５】
本開示に関連して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)または他のプログラマブル論理デバイス(PLD)、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえばDSPとマイクロプロセッサの組合せ、複数のマイクロプロセッサ、1つまたは複数のマイクロプロセッサとDSPコア、または任意の他のそのような構成として実装され得る。
【００７６】
本開示に関連して説明した方法またはアルゴリズムのステップは、直接ハードウェアで具体化されるか、プロセッサによって実行されるソフトウェアモジュールで具体化されるか、またはその2つの組合せで具体化され得る。ソフトウェアモジュールは、当技術分野で知られている任意の形式の記憶媒体中に存在し得る。使用され得る記憶媒体のいくつかの例には、ランダムアクセスメモリ(RAM)、読取り専用メモリ(ROM)、フラッシュメモリ、EPROMメモリ、EEPROMメモリ、レジスタ、ハードディスク、リムーバブルディスク、CD-ROMなどがある。ソフトウェアモジュールは、単一の命令、または多数の命令を含んでもよく、いくつかの異なるコードセグメント上で、異なるプログラム間で、および複数の記憶媒体にわたって分散されてもよい。記憶媒体は、プロセッサがその記憶媒体から情報を読み取ることができ、その記憶媒体に情報を書き込むことができるように、プロセッサに結合され得る。代替的に、記憶媒体はプロセッサと一体化され得る。
【００７７】
本明細書で開示される方法は、説明された方法を達成するための1つまたは複数のステップまたは動作を含む。方法ステップおよび/または動作は、特許請求の範囲を逸脱することなく互いに交換され得る。言い換えれば、ステップまたは動作の特定の順序が明記されていない限り、その順序および/または特定のステップおよび/または動作の使用は、特許請求の範囲を逸脱することなく修正され得る。
【００７８】
説明した機能は、ハードウェア、ソフトウェア、ファームウェア、またはそれらの任意の組合せにおいて実装され得る。ハードウェアで実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特にバスを介して処理システムに接続するのに使用され得る。ネットワークアダプタは、PHY層の信号処理機能を実施するために使用され得る。ユーザ端末120(図1参照)の場合において、ユーザインターフェース(たとえば、キーパッド、ディスプレイ、マウス、ジョイスティックなど)も、バスに接続され得る。バスは、当該技術分野において周知であり、したがって、これ以上説明することはない、タイミング源、周辺装置、電圧調整器、電力管理回路などの様々な他の回路にもリンクし得る。
【００７９】
プロセッサは、機械可読媒体に格納されたソフトウェアの実行を含む、バスおよび一般的な処理を管理することを担い得る。プロセッサは、1つまたは複数の汎用および/または専用プロセッサを用いて実装され得る。例としては、マイクロプロセッサ、マイクロコントローラ、DSPプロセッサ、およびソフトウェアを実行することができる他の回路がある。ソフトウェアは、ソフトウェア、ファームウェア、ミドルウェア、マイクロコード、ハードウェア記述言語、またはその他の名称で呼ばれるかどうかにかかわらず、命令、データ、またはそれらの任意の組合せを意味するように広く解釈されるものである。機械可読媒体は、例として、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは他の任意の適切な記憶媒体、またはそれらの任意の組合せを含み得る。機械可読媒体は、コンピュータプログラム製品で具体化され得る。コンピュータプログラム製品は、パッケージング材料を含み得る。
【００８０】
ハードウェア実装形態では、機械可読媒体は、プロセッサとは別個の処理システムの一部であり得る。しかし、当業者なら容易に理解するように、機械可読媒体またはその任意の部分は処理システムの外部に存在し得る。例として、機械可読媒体は、すべてバスインターフェースを介してプロセッサがアクセスし得る、送信線路、データによって変調された搬送波、および/またはワイヤレスノードとは別個のコンピュータ製品を含み得る。代替的または追加的に、機械可読媒体またはその任意の部分は、キャッシュおよび/または汎用レジスタファイルがそうであり得るようにプロセッサに統合され得る。
【００８１】
処理システムは、すべてが外部バスアーキテクチャを介して他のサポート回路と互いにリンクされた、プロセッサ機能を提供する1つまたは複数のマイクロプロセッサと、機械可読媒体の少なくとも一部分を提供する外部メモリとを有する汎用処理システムとして構成され得る。代替的に、処理システムは、プロセッサを有するASIC(特定用途向け集積回路)と、バスインターフェースと、アクセス端末の場合はユーザインターフェースと、サポート回路と、単一のチップに統合された機械可読媒体の少なくとも一部分とを用いて、あるいは1つまたは複数のFPGA(フィールドプログラマブルゲートアレイ)、PLD(プログラマブル論理デバイス)、コントローラ、ステートマシン、ゲート論理、個別ハードウェア構成要素、もしくは任意の他の適切な回路、または本開示全体にわたって説明した様々な機能を実行することができる回路の任意の組合せを用いて実装され得る。当業者は、特定の用途とシステム全体に課せられた全体的な設計制約とに応じて処理システムに関する説明した機能を最良に実装する方法を認識するであろう。
【００８２】
機械可読媒体は、いくつかのソフトウェアモジュールを含み得る。ソフトウェアモジュールは、プロセッサによって実行されたとき、処理システムに様々な機能を実行させる命令を含む。ソフトウェアモジュールは、送信モジュールおよび受信モジュールを含み得る。各ソフトウェアモジュールは、単一の記憶デバイス内に存在しても、または複数の記憶デバイスに分散されてもよい。例として、トリガイベントが発生したときに、ソフトウェアモジュールは、ハードドライブからRAMにロードされ得る。ソフトウェアモジュールの実行中、プロセッサは、アクセス速度を高めるために、命令のうちのいくつかをキャッシュにロードし得る。次いで、1つまたは複数のキャッシュラインは、プロセッサによる実行のために汎用レジスタファイルにロードされ得る。以下でソフトウェアモジュールの機能性に言及する場合、そのような機能は、そのソフトウェアモジュールからの命令を実行したときにプロセッサによって実装されることが理解されよう。
【００８３】
ソフトウェアに実装される場合、機能は、1つまたは複数の命令またはコードとして、コンピュータ可読媒体に記憶され得るか、またはコンピュータ可読媒体を介して送信され得る。コンピュータ可読媒体は、コンピュータ記憶媒体と、コンピュータプログラムの1つの場所から別の場所への転送を容易にする任意の媒体を含む通信媒体との両方を含む。記憶媒体は、コンピュータによりアクセス可能な任意の利用可能な媒体であってもよい。限定ではなく例として、そのようなコンピュータ可読媒体は、RAM、ROM、EEPROM、CD-ROMもしくは他の光ディスク記憶装置、磁気ディスクス記憶装置もしくは他の磁気記憶デバイス、または、命令もしくはデータ構造の形態の所望のプログラムコードを搬送もしくは記憶するために使用することができ、コンピュータによってアクセスすることができる、任意の他の媒体を含むことができる。また、任意の接続も厳密にはコンピュータ可読媒体と呼ばれる。たとえば、ソフトウェアが、同軸ケーブル、光ファイバケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(CD)、レーザーディス(登録商標)ク、光ディスク、デジタル多用途ディスク(DVD)、フロッピー(登録商標)ディスク、およびブルーレイ(登録商標)ディスクを含み、ディスク(disk)は、通常、磁気的にデータを再生し、ディスク(disc)は、レーザーで光学的にデータを再生する。したがって、いくつかの態様では、コンピュータ可読媒体は、非一時コンピュータ可読媒体(たとえば、有形の媒体)を含み得る。さらに、他の態様では、コンピュータ可読媒体は、一時的なコンピュータ可読媒体(たとえば、信号)を含み得る。上記の組合せもコンピュータ可読媒体の範囲の中に含まれるべきである。
【００８４】
したがって、特定の態様は、本明細書に記載の動作を実行するためのコンピュータプログラム製品を含み得る。たとえば、そのようなコンピュータプログラム製品は、命令が記憶(および/または符号化)されているコンピュータ可読媒体を含む場合があり、命令は、本明細書で説明する動作を実行するために1つまたは複数のプロセッサによって実行可能である。いくつかの態様では、コンピュータプログラム製品はパッケージング材料を含み得る。
【００８５】
さらに、本明細書で説明する方法および技法を実行するためのモジュールおよび/または他の適切な手段が、ユーザ端末および/または基地局によって適切にダウンロードおよび/またはさもなければ取得され得ることを理解されたい。たとえば、本明細書において説明される方法を実行するための手段の転送を容易にするために、そのようなデバイスをサーバに結合することができる。代替的には、本明細書において説明される種々の方法は、デバイスに記憶手段を結合するか、またはデバイスに記憶手段を設けると、ユーザ端末および/または基地局が種々の方法を入手することができるように、記憶手段(たとえば、RAM、ROM、コンパクトディスク(CD)またはフロッピー(登録商標)ディスクなどの物理記憶媒体など)を介して提供することができる。さらに、本明細書において説明される方法および技法をデバイスに提供するための任意の他の適切な技法が利用することができる。
【００８６】
特許請求の範囲は、上記で説明した厳密な構成および構成要素に限定されないことを理解されたい。上記で説明した方法および装置の配置、動作および詳細には、特許請求の範囲を逸脱することなく、様々な修正、変更および変形が行われ得る。
【符号の説明】
【００８７】
100  多元接続多入力多出力システム、MIMOシステム
110  アクセスポイント、AP
120  ユーザ端末
130  システムコントローラ
208  データソース
210  TXデータプロセッサ
220  TX空間プロセッサ
222  送信機ユニット、受信機ユニット
224  アンテナ
228  チャネル推定器
230  コントローラ
232  メモリ
234  スケジューラ
240  RX空間プロセッサ
242  RXデータプロセッサ
244  データシンク
252  アンテナ
254  送信機ユニット、受信機ユニット
260  RX空間プロセッサ
270  RXデータプロセッサ
272  データシンク
278  チャネル推定器
280  コントローラ
282  メモリ
286  データソース
288  TXデータプロセッサ
290  TX空間プロセッサ
302  ワイヤレスデバイス
304  プロセッサ
306  メモリ
308  ハウジング
310  送信機
312  受信機
314  トランシーバ
316  アンテナ
318  信号検出器
320  デジタル信号プロセッサ
410  アクセスポイント、AP
420  リーフSTA
430  リレー
500A  拡張分散チャネルアクセス(EDCA)コンテンションウィンドウ
600  拡張分散チャネルアクセス(EDCA)パラメータセットの構造
700  更新EDCA情報要素サブフィールドのための構造
【図１】
0006367364.tif 000002
【図２】
0006367364.tif 000003
【図３】
0006367364.tif 000004
【図４】
0006367364.tif 000005
【図５Ａ】
0006367364.tif 000006
【図５Ｂ】
0006367364.tif 000007
【図６】
0006367364.tif 000008
【図７】
0006367364.tif 000009
【図８】
0006367364.tif 000010
【図８Ａ】
0006367364.tif 000011
【図９】
0006367364.tif 000012
【図９Ａ】
0006367364.tif 000013
【図１０Ａ】
0006367364.tif 000014
【図１０Ｂ】
0006367364.tif 000015